(57)【要約】【課題】  工芸的技能や緻密な作業を要することなく、低コストで、褪色などに起因する色調差を解消して本来の色彩を蘇らせることができる建築物外壁面の改修塗装方法を提供する。【解決手段】  この建築物外壁面の改修塗装方法は、建築物の多彩塗装された外壁面１ａを、現場塗装により補修する方法であり、無色透明のクリアー塗料に、有色のエナメル塗料を１〜１０重量％添加した半透明塗料を用い、多彩塗装された外壁面１ａに上塗り塗装する。【選択図】      図５
2014136199.tif 000002
【特許請求の範囲】
【請求項１】
建築物の多彩塗装された外壁面を、現場塗装により補修する方法であって、
無色透明のクリアー塗料に、有色のエナメル塗料を１〜１０重量％添加した半透明塗料を用い、前記多彩塗装された外壁面に上塗り塗装することを特徴とする建築物外壁面の改修塗装方法。
【請求項２】
請求項１に記載の建築物外壁面の改修塗装方法において、前記エナメル塗料は、前記多彩塗装された外壁面の新築時の塗装色におけるベース色を基調とした色とする建築物外壁面の改修塗装方法。
【請求項３】
請求項１または請求項２に記載の建築物外壁面の改修塗装方法において、前記半透明塗料の途膜の膜厚を５〜１０μｍとする建築物外壁面の改修塗装方法。
【請求項４】
請求項１ないし請求項３のいずれか１項に記載の建築物外壁面の改修塗装方法において、改修の対象となる外壁面の全面、但し前記外壁面が凹凸模様を有する場合は少なくとも凸面部分の全面を、前記半透明塗料で上塗り塗装する建築物外壁面の改修塗装方法。
【請求項５】
請求項１ないし請求項４のいずれか１項に記載の建築物外壁面の改修塗装方法において、前記半透明塗料で上塗り塗装した後で、外壁面全体にクリアー塗料を上塗りする建築物外壁面の改修塗装方法。
【発明の詳細な説明】
【技術分野】
【０００１】
この発明は、多彩塗装された住宅やビル等の建築物外壁面の改修塗装方法に関する。
【背景技術】
【０００２】
表面に多彩塗装された外壁材を用いた建築物の同一壁面において、例えば部分的に外壁材が張り替えられている場合、張り替えない外壁材の塗装面と張り替えた外壁材の塗装面との間では経年変化による褪色の程度差が際立ち、これが壁面に色調差となって現れる。このような色調差を解消するための改修方法として、例えば以下に挙げるような方法が考えられる。
（１）  改修対象となる外壁材（褪色の進んだ外壁材）を全て張り替える。
（２）  改修対象となる外壁材の表面を、有色不透明の塗料（以下、エナメル塗料と呼ぶ）を用いて上塗り塗装する。
（３）  改修対象となる外壁材の表面を、無色透明のクリアー塗料を用いて上塗り塗装する。
【先行技術文献】
【特許文献】
【０００３】
【特許文献１】特開２００２−３２６０５２号公報
【特許文献２】特開２０１０−２６４４５４号公報
【発明の概要】
【発明が解決しようとする課題】
【０００４】
しかし、外壁材を張り替える上記（１）の改修方法では、塗装面の褪色が目立つ外壁材だけを選択して張り替えを行うと、張り替えない外壁材と張り替えた外壁材との間で塗装面の色調差が際立ってしまう。このような色調差を解消するためには、他の外壁材も全て張り替えなければならず、結局コスト高となってしまう。また、改修工事における工程間のジョイントロスも発生する。
【０００５】
また、エナメル塗料を用いて上塗り塗装する上記（２）の改修方法では、外壁材の全面張り替えと比較してコストを抑えることができるが、エナメル塗料が単色や２配色である場合、意匠性が低下してしまう。エナメル塗装において、改修前の多彩塗装の塗膜表面にグラデーションなどの加飾処理を筆やローラーを用いて施せば、意匠性の低下を回避できる。しかしその場合、改修に工芸的技能が必要で、意匠のばらつきが懸念され、またコスト高で工期も長く要する。
【０００６】
無色透明のクリアー塗料で上塗り塗装する上記（３）の改修方法では、上塗りされたクリアー塗料の塗膜で保護機能が強化されると共に、光沢が整えられ、コストも（１）や（２）の改修方法に比べて最も低く抑えることができる。しかし、無色透明の上塗りでは、色調差を解消するという本来の目的を果たしたことにはならず、ユーザーの納得・理解を得ることは困難である。
【０００７】
この発明の目的は、工芸的技能や緻密な作業を要することなく、低コストで、褪色などに起因する色調差を解消して本来の色彩を蘇らせることができる建築物外壁面の改修塗装方法を提供することである。
【課題を解決するための手段】
【０００８】
この発明の建築物外壁面の改修塗装方法は、建築物の多彩塗装された外壁面を、現場塗装により補修する方法であって、無色透明のクリアー塗料に、有色のエナメル塗料を１〜１０重量％添加した半透明塗料を用い、前記多彩塗装された外壁面に上塗り塗装することを特徴とする。前記有色のエナメル塗料の添加量は、好ましくは５％である。
【０００９】
この建築物外壁面の改修塗装方法によると、半透明塗料を用いて、建築物の多彩塗装された外壁面に上塗り塗装するので、次のように色彩を蘇らせ、色調を整えることができ、また簡単に低コストで改修できる。
・色彩を蘇らせる
改修対象の外壁材表面全体を、新築時の多彩塗装のベース色を基調とした色の半透明塗料で上塗り塗装した場合、新築時の多彩塗装の色彩を蘇らせることができ、褪色が極めて進行した外壁材に対しても改修効果が得られる。
・色調を整える
新規品に張り替えた外壁材にも半透明塗料を上塗り塗装することで、多彩塗装における加飾部のコントラストを制御して、壁面全体を違和感なく馴染ませることができる。また、部分的な色むらも、半透明塗装のベール効果により、緻密な補正作業を要することなく馴染ませることができる。
・簡単に低コストで改修
ローラーや刷毛を用いた比較的簡単な方法が採用でき、また多彩塗装された模様、例えばインクジェットやグラビア方式による加飾部を塗り潰すことなく改修できる。
これらのことから、この建築物外壁面の改修塗装方法によると、工芸的技能や緻密な作業を要することなく、低コストで、褪色などに起因する色調差を解消して本来の色彩を蘇らせることができる。
なお、有色のエナメル塗料の含有割合が１０％を超えると、元の多彩塗装が上塗りされる半透明塗料で多少塗り潰されたようになり、また１％未満であると、多彩塗装の色彩を蘇らせる効果が十分に得られない。
【００１０】
この建築物外壁面の改修塗装方法において、前記エナメル塗料は、前記多彩塗装された外壁面の新築時の塗装色におけるベース色を基調とした色とするのが望ましい。これは、エナメル塗料の色が、褪色時のベース色を基調とした色であると、新築時の本来の色彩を蘇らせることができないからである。
【００１１】
この建築物外壁面の改修塗装方法において、前記半透明塗料の途膜の膜厚を５〜１０μｍとするのが望ましい。この範囲に膜厚を設定することで、半透明効果が得られ、元の多彩塗装の模様（例えばインクジェットやグラビア方式による加飾）を塗りつぶすことなく改修できる。
【００１２】
この建築物外壁面の改修塗装方法において、改修の対象となる外壁面の全面、但し前記外壁面が凹凸模様を有する場合は少なくとも凸面部分の全面を、前記半透明塗料で上塗り塗装するのが望ましい。凹凸模様の凹面部分は、淡色で設定され、半透明塗装色が干渉する場合があるため、上塗りしない。
【００１３】
この建築物外壁面の改修塗装方法において、前記半透明塗料で上塗り塗装した後で、外壁面全体にクリアー塗料を上塗りすることが好ましい。
【発明の効果】
【００１４】
この発明の建築物外壁面の改修塗装方法は、建築物の多彩塗装された外壁面を、現場塗装により補修する方法であって、無色透明のクリアー塗料に、有色のエナメル塗料を１〜１０重量％添加した半透明塗料を用い、前記多彩塗装された外壁面に上塗り塗装することとしたため、工芸的技能や緻密な作業を要することなく、低コストで、褪色などに起因する色調差を解消して本来の色彩を蘇らせることができる。
【図面の簡単な説明】
【００１５】
【図１】この発明の一実施形態にかかる建築物外壁面の改修塗装方法が適用される外壁面を有する建築物の外観斜視図である。
【図２】同改修塗装方法が適用される外壁面の一例の改修塗装前の状態を示す拡大断面図である。
【図３】同外壁面の改修塗装後の状態を示す拡大断面図である。
【図４】同改修塗装方法が適用される外壁面の他の例の改修塗装前の拡大断面図である。
【図５】同外壁面の改修塗装後の拡大断面図である。
【発明を実施するための形態】
【００１６】
この発明の建築物外壁面の改修塗装方法の一実施形態を図１ないし図３と共に説明する。この建築物外壁面の改修塗装方法は、例えば図１に示すような建築物１０の多彩塗装された外壁材１の表面を、現場塗装により改修する方法である。図２は、前記建築物１０における改修塗装の対象となる外壁材１の一例の改修塗装前の部分拡大断面図を示す。この実施形態例では、改修対象となる外壁材１の基材２の表面が一様な平坦面であって、その表面は多彩塗装による塗膜３によって覆われている。基材２は、例えばセラミックス系である。このような外壁材１の表面１ａに、半透明塗料を上塗り塗装して、図３のように前記多彩塗装の塗膜３の上に半透明塗料の塗膜４を形成する。この半透明塗料の上塗り塗装による塗膜４を形成した後で、外壁面全体にクリアー塗料を上塗りし、クリアー塗料による塗膜５を形成することが好ましい。半透明塗料の上塗り塗装は、外壁材１の表面１ａの褪色の度合いに関係なく、同一壁面を構成する全外壁材１の表面１ａに渡って行う。また、半透明塗料の上塗り塗装は、ローラーや刷毛などの簡便な道具を用いて行う。
【００１７】
前記半透明塗料は、無色透明のクリアー塗料に、有色のエナメル塗料を１〜１０重量％添加したものである。有色のエナメル塗料の添加量は、好ましくは５％である。前記クリヤー塗料は、樹脂固形分、添加剤、溶媒（溶剤或いは水）からなる。有色のエナメル塗料は、樹脂固形分、顔料、添加剤、溶媒（溶剤或いは水）からなる。なお、エナメル塗料における顔料の含有量は、樹脂固形分１００重量部に対して５．００〜６０．００重量部とする。また、エナメル塗料は、多彩塗装された外壁材１の表面１ａのベース色（新築時の塗装色）を基調とした色とするのが望ましい。その理由は、エナメル塗料の色が、褪色時のベース色を基調とした色であると、新築時の本来の色彩を蘇らせることができないからである。
【００１８】
半透明塗料の塗膜４の膜厚は５〜１０μｍとするのが望ましい。この範囲に膜厚を設定することで半透明効果が得られ、元の多彩塗装の模様（インクジェットやグラビア方式などによる加飾）を塗りつぶすことなく改修できる。なお、前記半透明効果をある程度確保できる範囲として、半透明塗料の塗膜４の膜厚は、５〜５０μｍの範囲まで拡大しても良い。
【００１９】
半透明塗料を構成する無色透明のクリアー塗料としては、例えばアクリル系、アクリルシリコン系、ウレタン系、フッ素系などの樹脂系のものを用いることができる。また、可溶性の観点から見た場合、半透明塗料を構成するクリアー塗料およびエナメル塗料として好ましい塗料は、水系、弱溶剤系、強溶剤系などである。
【００２０】
この建築物外壁面の改修塗装方法によると、このように無色透明のクリアー塗料に有色のエナメル塗料を１〜１０重量％添加した半透明塗料を用いて、建築物の多彩塗装された外壁面に上塗り塗装するので、以下の効果が得られる。
・  改修対象の外壁材表面全体を、新築時の多彩塗装のベース色を基調とした色の半透明塗料で上塗り塗装するので、新築時の多彩塗装の色彩を蘇らせることができ、褪色が極めて進行した外壁材に対しても改修効果が得られる。
・  新規品に張り替えた外壁材にも半透明塗料を上塗り塗装することで、多彩塗装における加飾部のコントラストを制御して、壁面全体を違和感なく馴染ませることができる。また、部分的な色むらも、半透明塗装のベール効果により、緻密な補正作業を要することなく馴染ませることができる。
これらのことから、この建築物外壁面の改修塗装方法によると、工芸的技能や緻密な作業を要することなく、低コストで、褪色などに起因する色調差を解消して本来の色彩を蘇らせることができる。
【００２１】
図４および図５は、改修対象となる外壁材１の表面１ａに、例えば煉瓦造を模した凹凸模様が形成されている場合の改修塗装方法の例を示す。この例では、改修塗装前の外壁材１の表面１ａのうち凹凸模様の凸面部分１ａａのみに、図５のように半透明塗料を上塗り塗装して塗膜４を形成する。その他の構成および作用効果は図２および図３に示した例の場合と同様である。
【００２２】
なお、例えば図４および図５に示す例において、図５のように外壁材１の表面１ａの凸面部分１ａａに半透明塗料を上塗り塗装した後で、さらに外壁面全体に無色透明のクリアー塗料を上塗り塗装しても良い。この場合は、クリアー塗料の上塗りで壁面に保護機能が付与されるなどの効果が得られる。
【００２３】
また、例えば図４および図５に示す例において、図４に示す外壁材１の表面の凸面部分１ａａにおける多彩塗料の塗膜３に、基調色となる面部分と、インクジェット面部分とがある場合、外壁材１の表面１ａの凸面部分１ａａに半透明塗料を上塗り塗装する図５の工程では基調色となる面部分にのみ半透明塗料を上塗り塗装し、その後で外壁面全体に無色透明のクリアー塗料を上塗り塗装するようにしても良い。この場合は、基調色となる面部分を選択的に改修でき、外壁面の保護効果も得られるが、塗料を塗り分ける手間を要すると共に、クリアー塗料を上塗り塗装する工程も増えるため、コストが増大し作業もそれだけ煩雑となる。
【符号の説明】
【００２４】
１…外壁材
１ａ…外壁材の表面
１ａａ…外壁材の凸面部分
２…外壁材の基材
３…多彩塗料の塗膜
４…半透明塗料の塗膜
５…クリアー塗料の塗膜
【図１】
2014136199.tif 000003
【図２】
2014136199.tif 000004
【図３】
2014136199.tif 000005
【図４】
2014136199.tif 000006
【図５】
2014136199.tif 000007